(57)【要約】【課題】、導入線を口金とガラス球端部の隙間に挿入することによる、管球のガラス球端部にクラックなどが生じる虞がない管球を提供すること。【解決手段】口金シェル１を供えた口金１０に管球Ｌをガラス端部６０にて接続固定する際、ガラス端部６０は口金シェル１と少なくとも１箇所で接触しており、口金シェル１と０．５ｍｍ以上の隙間が全周の  ３０〜５０％となるようにする。そうすることによってガラス球端部６０と口金１０の間に適度な隙間を設けているので、導入線４ａと口金シェル１を取り付ける際に、導入線４ａの圧迫による管球Ｌのガラス球端部６０にクラックなどが生じる虞を低減する。【選択図】図１
2004186016.tif 000002
【特許請求の範囲】
【請求項１】
口金シェルを備えた管球用口金と；
口金シェルの内表面と少なくとも１箇所で接触しており、口金シェルと０．５ｍｍ以上の隙間が全周の  ３０〜５０％のガラス球端部を有する管球本体と；
を具備している事を特徴とする管球。
【請求項２】
器具本体と；
器具本体に収納される請求項１の管球と；
を具備したことを特徴とする照明装置。
【発明の詳細な説明】
【０００１】
【発明の属する技術分野】本発明は、口金備えた管球および照明装置に関する。
【０００２】
【従来の技術】白熱電球や高圧放電ランプのガラス端部にねじ込み式口金を接着する構造としては、例えば接着剤を使用して口金をガラス球の口金の取りつけ部に取り付けた構造（特許文献１の図１）、口金と外球の口金取りつけ部にアスベストを強固に圧入して取り付けるか、または外球を挿入後バンドで口金を締め付けて取りつけた構造（特許文献１の図２）、内口金の半球状内方凸部に嵌合する線に４つの凹部をもった形に加熱成形し外球の口金取りつけ部に内口金を接着してこれに外口金を螺合しねじ戻り止めのため両口金のねじ部を押圧受形せしめて取り付けた構造（特許文献１の図３）、ねじ状に加熱成型した外球の口金取りつけ部に口金を接着剤をいれて螺合し取り付けた構造（特許文献１の図４）、ねじ状およびねじ戻り止め用のはんだ塊を入れる凹部を持つ形に加熱成型した外球の口金取りつけ部の前記凹部にはんだ塊を挿入した後口金を螺合しねじ戻り止めとしてはんだ塊と口金をはんだ付けして取り付けた構造（特許文献１の図５）があげられる。
【０００３】
また他にも、ガラス球の封止工程においてガラス球端部の外周面をらせん状に形成するとともにガラス球端部から導出された一対の外部導入線の一方を導通させるための溝を同じくガラス球端部の外周面に管軸方向に沿って複数個形成した構造（特許文献２の図２）があげられる。
【０００４】
【特許文献１】実開昭４８−７４４８４号公報（図１ないし図５）
【０００５】
【特許文献１】実公昭６３−２６９２８号公報
【０００６】
【発明が解決しようとする課題】しかしながら、これらの従来技術であっては、熱・紫外線・衝撃・ねじりモーメントに弱く、内口金、接着剤、多量のはんだを要するなどの欠点を有していた。
【０００７】
特に、ガラス球に凹部（溝部）を形成する方法は、ガラス球に凹部を形成する際、局部的に加熱変形させているため特に応力に弱く、凹部に導入線を挿入させた場合には、導入線と圧接して生じる応力によってガラス球にクラックが生じるなどの虞がある。
【０００８】
また、導入線を挿入させる際にガラス球と口金の端部に隙間がない場合では、ガラス球が口金および導入線に圧接されて、ガラス球の導入線と接している部分に応力が集中して発生しガラス球にクラックが入りやすくなってしまう。このため、本発明は従来の欠点を除去すべくなされたものである。
【０００９】
【課題を達成するための手段】請求項１の発明の管球は、口金シェルを備えた管球用口金と；口金シェルの内表面と少なくとも１箇所で接触しており、口金シェルと０．５ｍｍ以上の隙間が全周の３０〜５０％のガラス球端部を有する管球本体と；を具備している。
【００１０】
本発明および以下の各発明において、特に指定しない限り用語の定義および技術的意味は次による。
【００１１】
口金シェルは、たとえばアルミニウム、黄銅や銅などの導電性金属を略円筒状に成形してなり、管球本体に口金を装着する際に、管球本体に口金セメントや機械的加締めなどにより支持される部分を構成する。さらに、口金シェルは、管球本体から導出された導入線に圧接、溶接または蝋接などにより接続して、導電接触片の一方を構成する。
【００１２】
その他の口金の構成としては、アイレット金具支持絶縁体およびアイレット金具から構成される。
【００１３】
アイレット金具支持絶縁体は、後述するアイレット金具を口金シェルに絶縁関係を保持しながら機械的に一体化させるために機能する部分である。アイレット金具支持絶縁体は、ガラスやセラミックスなどにより形成することができる。アイレット金具支持絶縁体がガラスからなる場合には、ガラスを加熱溶融し成形しながら口金シェルおよびアイレット金具に溶着させることができる。セラミックスからなる場合には、予め焼結によりアイレット金具支持絶縁体を成形してから、アイレット金具をかしめて固着しさらに先端に口金シェルを加締めることによって口金を組み立てることができる。
【００１４】
アイレット金具は、たとえば黄銅や銅などの導電性金属板を浅皿状や板状の細長い端板部を成形してなり、その面に導入線挿入用の穴部を形成し、アイレット金具絶縁支持体の頂部を覆うように接続される。そして管球本体から導出された導入線のトップワイヤを導入線挿入用穴に相通させてアイレット金具と共にはんだ付けにて固定して電気接触片の他方を構成する。
【００１５】
管球本体とは、発光管を備えているとともに、機能部分に一対の導入線を有し、受電手段として口金を備えているガラス球からなる物品を意味し、たとえば光源ランプ、点灯管、センサー管、整流管および受信管などを包括する概念である。なお、「機能部分に発光管を備えている」とは、機能部分の少なくとも一部が発光管によって構成されていることを意味する。また、発光管は１重管構造または外管内に発光管を収納した多重管構造であることを許容する。また、光源ランプにおいては、白熱電球、電球形蛍光ランプ、ＨＩＤランプなどを含む。そうしてガラス球端部にて口金と接続されている。
【００１６】
このガラス球端部は、口金のシェルの内表面に少なくとも１箇所で接触しながら、全周の３０〜５０％が口金シェルと０．５ｍｍ以状のすき間を有している。このような形状の例として、口金シェルは略円筒形状であるため、このガラス端部の断面形状が、略多角形形状、特に略三角形もしくは略四角形、または、楕円形状が得られる。しかしながら、ガラス加工の性質上曲率は、大きな形状となる。また、このガラス球と口金とは、口金内部の口金シェル部とガラス球端部管をセメントにて固着して固定することも許容する。
【００１７】
また、「管球本体」とは、管球から口金を除いた残余の部分をいう。したがって、管球本体は受電手段以外の全ての機能部分を備えている。
【００１８】
請求項１の発明によれば、ガラス球端部と口金の間に適度な隙間を設けているので、導入線と口金シェルを取り付ける際に、導入線を口金とガラス球端部の隙間に挿入することによって、管球のガラス球端部にクラックなどが生じる虞がない管球を提供することができる。
請求項２の発明の照明装置は、器具本体と；器具本体に収納される請求項１の管球と；を具備している。
【００１９】
器具本体とは、請求項１の管球の発光を利用するあらゆる装置を意味しており、たとえばダウンライト、投光器、道路・トンネルなど照明器具、街路灯などを含む。
【００２０】
本発明によれば、請求項１の効果を奏する照明装置を提供することができる。
【００２１】
【発明の実施の形態】以下、本発明の実施の形態を図面を参照して説明する。図１は、本発明の第１の実施形態の管球口金およびガラス端部を示す断面図である。図２は本発明の管球の一実施形態として白熱電球Ｌを示す。
【００２２】
口金シェル１は、表面にニッケル鍍金を施した黄銅からなり、筒状で、かつ周囲にねじ溝１ａを備え、下端が開放し、上端が絞られて中央にアイレット金具支持絶縁体装着用開口が形成されている。
【００２３】
アイレット金具支持絶縁体２は、ガラスまたはセラミックスからなり、下端部が口金シェル１の上端部内面に溶着して、中間部が口金シェル１の上端のアイレット金具支持絶縁体用開口から外部へ球面状に突出し、上端部が後述するアイレット金具３の内部に溶着していることによって、アイレット金具３を口金シェル１に絶縁関係を形成しながら固着している。アイレット金具３は、表面にニッケル鍍金を施した黄銅からなり、端板部３ａ、導入線挿入穴３ｂおよびフランジ部３ｃを備えている。管球本体の導入線４は、導入線挿入穴３ｂに挿入され、導入線４とアイレット金具３を接続固定する。
【００２４】
白熱電球Ｌは、口金１０に接続された電球本体６からなっている。電球本体６は、フィラメント６１、口金と接続されるステム６２、フィラメント６１をステム６２に支持するアンカ６３をガラスバルブ６４で覆って構成されている。また、ガラスバルブ６４の内面には、シリカなどから構成される拡散防止膜などが形成されている。
【００２５】
白熱電球Ｌのガラス端部６０には、口金１０が口金シェル１とセメント５によって固定される。ガラス端部６０と口金シェル１との断面（Ａ−Ａ断面）を図１（ｂ）に示している。６６は電球本体の排気管を示している。ガラス端部６０と口金シェル１は、３点で接触しており、また隙間ｓも３箇所有している。この隙間ｓは、この断面の全周のうちの３０〜５０％の範囲で、０．５ｍｍ以上である。この隙間に、導入線４を挿通させて、口金シェル１の外部で溶接固定される。この導入線４は太さ０．３ｍｍのジュメット線を用いており、口金シェル１とガラス端部６０の隙間ｓが０．５ｍｍ以上の部分があれば、ガラス球端部は導入線との接触や圧迫によって局部ストレスを生じる事がなく、クラックなどを発生させる虞を低減できる。
【００２６】
次に他の実施例として、このガラス端部６０と口金シェル１との断面（Ａ−Ａ断面）を図３に示す。
【００２７】
図３（ａ）は、ガラス端部６０が略四角形状で口金シェルと４点で接触している。そうして、隙間ｓの０．５ｍｍ以上の部分が３０〜５０％形成されている。図３（ｂ）は、ガラス端部６０が略楕円形状で口金シェルと２点で接触している。そうして、隙間ｓの０．５ｍｍ以上の部分が３０〜５０％形成されている。図３（ｃ）は、ガラス端部６０が略半円形状で口金シェルと約半袖部分の１点で接触している。そうして、隙間ｓの０．５ｍｍ以上の部分が３０〜５０％形成されるよう約半周は、隙間を有している。
【００２８】
図７にこの白熱電球Ｌを用いた照明器具７を示す。照明器具７は、器具本体７１に、白熱電球Ｌの口金に対応したソケット７２、照明器具７を支持し白熱電球Ｌに給電する支持ワイヤ７３および反射鏡７４から形成されている。
【００２９】
【発明の効果】請求項１の発明によれば、ガラス球端部と口金の間に適度な隙間を設けているので、導入線と口金シェルを取り付ける際に、導入線を口金とガラス球端部の隙間に挿入することによって、管球のガラス球端部にクラックなどが生じる虞がない管球を提供することができる。
【００３０】
請求項２の発明によれば、請求項１の効果を奏する照明装置を提供することができる。
【図面の簡単な説明】
【図１】本発明の第１の実施形態の管球口金およびガラス端部を示す断面図。
【図２】同じく本発明の管球の一実施形態として白熱電球。
【図３】本発明の他の実施形態管球口金およびガラス端部を示す断面図
【図４】本発明の照明装置の一実施形態示す照明器具の正面図
【符号の説明】
Ｌ・・・管球としての白熱電球、  １０・・・口金、  １…口金シェル、  ４ａ，４ｂ…導入線、  ｓ・・・隙間、  ６・・・管球本体、６０・・・ガラス端部、７照明器具
【図１】
2004186016.tif 000003
【図２】
2004186016.tif 000004
【図３】
2004186016.tif 000005
【図４】
2004186016.tif 000006